(57)【要約】【課題】切り替え駆動される２系統以上のＬＥＤ負荷の端子電圧が異なっていても、切り替え駆動時の突発的なピーク電流によりＬＥＤ負荷が故障する恐れを低減したＬＥＤ照明用電源装置等を提供する。【解決手段】交流または直流を電源２とし、１つの定電流コンバータ１３の出力に接続された負荷端子電圧の異なる２系統以上のＬＥＤ負荷１５、１６を切り替え駆動するＬＥＤ照明用電源装置において、定電流コンバータ１３の制御はリアルタイム制御とするとともに、定電流コンバータの出力端に接続されるコンデンサ１４の容量を０．１μＦ以下とするか、または定電流コンバータ１３の出力端にコンデンサを設けないことを特徴とする。【選択図】図１
2018063878.tif 000002
【特許請求の範囲】
【請求項１】
交流または直流を電源とし、１つの定電流コンバータの出力に接続された負荷端子電圧の異なる２系統以上のＬＥＤ負荷を切り替え駆動するＬＥＤ照明用電源装置において、
前記定電流コンバータの制御はリアルタイム制御とするとともに、定電流コンバータの出力端に接続されるコンデンサの容量を０．１μＦ以下とするか、または定電流コンバータの出力端にコンデンサを設けないことを特徴とするＬＥＤ照明用電源装置。
【請求項２】
前記ＬＥＤ負荷の切り替えは、ＬＥＤ負荷の全てが開放状態となるタイミングが発生しないように行われる請求項１に記載のＬＥＤ照明用電源装置。
【請求項３】
前記定電流コンバータの出力に接続され、前記ＬＥＤ負荷の全てが開放状態となったとき、またはＬＥＤ負荷の切り替えタイミングを含む所定時間、ブリーダー電流を流すためのブリーダー回路を備えている請求項１または２に記載のＬＥＤ照明用電源装置。
【請求項４】
請求項１〜３のいずれかに記載のＬＥＤ照明用電源装置を備えたＬＥＤ照明装置。
【発明の詳細な説明】
【技術分野】
【０００１】
この発明は、２系統以上のＬＥＤ負荷を切り替え駆動するＬＥＤ照明用電源装置、及びこの電源装置が用いられたＬＥＤ照明装置に関する。
【背景技術】
【０００２】
光源にＬＥＤ（発光ダイオード）を用いたＬＥＤ照明装置として、例えば色温度の異なる２系統以上のＬＥＤ負荷を交互に切り替え駆動して調色制御を行うＬＥＤ照明装置が従来より知られている（例えば特許文献１、特許文献２）。
【０００３】
ところで、このような２系統以上のＬＥＤ負荷を交互に切り替え駆動するＬＥＤ照明装置の電源装置として、ＬＥＤ負荷に流れる電流の安定化のためフィードバック制御方式の電源装置が使用されることが多い。
【０００４】
このフィードバック制御方式の電源装置は、ＬＥＤ負荷を流れる電流を検出するとともに、検出した電流値が減少するとＬＥＤ負荷を流れる電流が増加するように定電流コンバータの出力を増大させ、検出した電流値が増加するとＬＥＤ負荷を流れる電流が減少するように定電流コンバータの出力を減少させる制御を行うものである。
【先行技術文献】
【特許文献】
【０００５】
【特許文献１】特許第５１４１８７４号公報
【特許文献２】特開２０１５−９５３４７号公報
【発明の概要】
【発明が解決しようとする課題】
【０００６】
しかしながら、このようなフィードバック式の電源装置は、次のような問題があった。即ち、切り替え駆動される２系統以上のＬＥＤ負荷の端子電圧は一般的には同一ではなく、例えば負荷端子電圧の小さいＬＥＤ負荷から負荷端子電圧の大きいＬＥＤ負荷に駆動切替を行った場合、負荷端子電圧の差が大きいと、切替直後は負荷端子電圧の大きいＬＥＤ負荷への電流が急激に減少する。このため、フィードバックがかかり定電流コンバータは急激に出力を増大させるように制御されるため、ＬＥＤ負荷に突発的な大電流が流れて故障する恐れがあった。更に、フィードバック制御は、周波数固定、ＯＮ幅固定、並びにＯＦＦ幅固定で使用されることが多く、調光を絞った状態で調色が絞られている時の分解能が悪くなり調色の変化がなめらかでなくなるという問題があった。
【０００７】
また、定電流コンバータの出力には、ＬＥＤ負荷に安定的に電流を供給するため、比較的容量の大きいコンデンサが一般的に接続されている。しかし、負荷端子電圧の大きいＬＥＤ負荷から負荷端子電圧の小さいＬＥＤ負荷に駆動が切り替わったとき、コンデンサから突発的な大電流（ピーク電流）が負荷端子電圧の小さいＬＥＤ負荷に流れるとともに、コンデンサの容量が大きいためこの電流が持続し、このためやはりＬＥＤ負荷が故障する恐れがあった。
【０００８】
このように、従来のフィードバック式の電源装置では、切り替え駆動される２系統以上のＬＥＤ負荷の端子電圧が異なっている場合、切り替え駆動時にＬＥＤ負荷が突発的なピーク電流により故障する恐れがあるという問題があった。
【０００９】
これらの突発的なピーク電流は、制御困難な電流としてＬＥＤ負荷に流れる為、ＬＥＤ負荷電流が安定しないという問題も発生していた。
【００１０】
この発明は、このような技術的背景に鑑みてなされたものであって、切り替え駆動される２系統以上のＬＥＤ負荷の端子電圧が異なっていても、切り替え駆動時の突発的なピーク電流によりＬＥＤ負荷が故障する恐れを低減したＬＥＤ照明用電源装置及びＬＥＤ照明装置の提供を課題とする。
【課題を解決するための手段】
【００１１】
上記課題は、以下の手段によって解決される。
（１）交流または直流を電源とし、１つの定電流コンバータの出力に接続された負荷端子電圧の異なる２系統以上のＬＥＤ負荷を切り替え駆動するＬＥＤ照明用電源装置において、前記定電流コンバータの制御はリアルタイム制御とするとともに、定電流コンバータの出力端に接続されるコンデンサの容量を０．１μＦ以下とするか、または定電流コンバータの出力端にコンデンサを設けないことを特徴とするＬＥＤ照明用電源装置。
（２）前記ＬＥＤ負荷の切り替えは、ＬＥＤ負荷の全てが開放状態となるタイミングが発生しないように行われる前項１に記載のＬＥＤ照明用電源装置。
（３）前記定電流コンバータの出力に接続され、前記ＬＥＤ負荷の全てが開放状態となったとき、またはＬＥＤ負荷の切り替えタイミングを含む所定時間、ブリーダー電流を流すためのブリーダー回路を備えている前項１または２に記載のＬＥＤ照明用電源装置。
（４）前項１〜３のいずれかに記載のＬＥＤ照明用電源装置を備えたＬＥＤ照明装置。
【発明の効果】
【００１２】
前項（１）に記載の発明によれば、交流または直流を電源とし、１つの定電流コンバータの出力に接続された負荷端子電圧の異なる２系統以上のＬＥＤ負荷を切り替え駆動するＬＥＤ照明用電源装置において、定電流コンバータの制御をリアルタイム制御としフィードバック制御は行わないから、負荷端子電圧の小さいＬＥＤ負荷から負荷端子電圧の大きいＬＥＤ負荷へ切り替わったときに、ＬＥＤ負荷に流れる電流値の減少を検出して定電流コンバータの出力を急激に増大する制御が行われることはなく、従って突発的なピーク電流は流れないから、ＬＥＤ負荷の故障の恐れは減少する。更に、突発的なピーク電流は流れない為、制御困難な電流はなくなり、ＬＥＤ負荷電流が安定する。
【００１３】
更に、リアルタイム制御は、調光が絞られると周波数がフィードバック制御における固定周波数、ＯＮ幅固定周波数、ＯＦＦ幅固定周波数に比べて増加するので、調光を絞った状態で調色が絞られている時の分解能が良くなり調色の変化がなめらかになる効果が期待できる。
【００１４】
また、定電流コンバータの出力端にコンデンサを設けた場合、負荷端子電圧の大きいＬＥＤ負荷から負荷端子電圧の小さいＬＥＤ負荷へ切り替わったときに、コンデンサから急激な電流が負荷端子電圧の小さいＬＥＤ負荷へ流れるが、コンデンサの容量は０．１μＦ以下であるから、この電流は瞬時に減衰し持続しない。このため、ＬＥＤ負荷へ与える影響は小さく、従ってＬＥＤ負荷の故障の恐れも少ない。更に、突発的なピーク電流は流れない為、制御困難な電流はなくなり、ＬＥＤ負荷電流が安定する。なお、定電流コンバータの出力端にコンデンサを設けないことで、突発的な電流が完全に発生しないようにしても良い。
【００１５】
前項（２）に記載の発明によれば、ＬＥＤ負荷の切り替えは、ＬＥＤ負荷の全てが開放状態となるタイミングが発生しないように行われるから、ＬＥＤ負荷の全てが開放状態となったときに発生する恐れのある定電流コンバータの出力の過度の増大を防止することができる。
【００１６】
前項（３）に記載の発明によれば、定電流コンバータの出力に接続され、ＬＥＤ負荷の全てが開放状態となったとき、またはＬＥＤ負荷の切り替えタイミングを含む所定時間、ブリーダー電流を流すためのブリーダー回路を備えているから、ＬＥＤ負荷の全てが開放状態になったとき、あるいは開放状態になる恐れがあるときに、定電流コンバータの出力からブリーダー回路にブリーダー電流を流すことができ、定電流コンバータの出力の過度の増大を確実に防止することができる。
【００１７】
前項（４）に記載の発明によれば、前項（１）〜（３）のいずれかに記載のＬＥＤ照明用電源装置が奏する効果を発揮することができるＬＥＤ照明装置となる。
【図面の簡単な説明】
【００１８】
【図１】この発明の一実施形態に係るＬＥＤ照明装置の回路図である。
【図２】図１のＬＥＤ照明装置における定電流コンバータの動作を説明するための波形図である。
【図３】図１のＬＥＤ照明装置における２系統のＬＥＤ負荷の駆動切替動作を説明するための波形図である。
【図４】この発明の他の実施形態に係るＬＥＤ照明装置の回路図である。
【図５】図１のＬＥＤ照明装置の動作を説明するための波形図である。
【発明を実施するための形態】
【００１９】
以下、この発明の実施形態を図面に基づいて説明する。
【００２０】
図１はこの発明の一実施形態に係るＬＥＤ電源装置を備えたＬＥＤ照明装置１の構成を示す回路図である。このＬＥＤ照明装置１は、整流回路１１と、整流回路１１の出力に接続された平滑コンデンサ１２と、平滑コンデンサ１２の出力に接続された定電流コンバータ１３と、定電流コンバータ１３の出力端に接続されたコンデンサ１４と、第１、第２の２系統のＬＥＤ負荷１５、１６と、第１、第２の２個の負荷切替部１７、１８と、負荷切替・調光制御部１９等を備えている。
【００２１】
整流回路１１は、交流電源２からの交流入力を全波整流する回路であり、平滑回路１２は整流回路１１による全波整流後の入力電圧を平滑する役割を果たす。
【００２２】
定電流コンバータ１３は、定電流出力となるように動作するコンバータであり、この実施形態では具体的に、リアルタイム制御部１３１と、平滑コンデンサの正側端子にドレイン端子が接続されたＭＯＳＦＥＴからなるスイッチ素子１３２と、スイッチ素子１３２のソース端子に一端が接続された抵抗１３３と、抵抗１３３の他端に接続されたインピーダンス素子１３４と、平滑コンデンサ１２の負側端子とスイッチ素子１３２のソース端子間に、カソード側がスイッチ素子１３２のソース端子側となる向きで接続されたダイオード１３５を備えている。
【００２３】
スイッチ素子１３２のゲートにはリアルタイム制御部１３１からゲート信号が出力され、このゲート信号の出力時にスイッチ素子１３２はオンになり、平滑コンデンサ１２に充電された電力がスイッチ素子１３２の出力側に供給される。
【００２４】
抵抗１３３は定電流コンバータ１３の出力電流を検出するものである。つまり、出力電流値と抵抗値によって決定される抵抗１３３の両端電圧をリアルタイム制御部１３１が常時監視しており、この監視電圧が下限閾値を下回るとリアルタイム制御部１３１からスイッチ素子１３２にゲート信号が出力されて、スイッチ素子１３２はオンになる。監視電圧が上限閾値を超えると、リアルタイム制御部１３１からスイッチ素子１３２へのゲート信号はなくなり、スイッチ素子１３２はオフになるように構成されている。つまりリアルタイム制御が行われる。
【００２５】
なお、リアルタイム制御部１３１によるスイッチ素子１３２のオン、オフのタイミングや周波数は、負荷切替・調光制御部１９からの調光信号によっても制御される。つまり、第１、第２ＬＥＤ負荷１５、１６の光量（明暗）を調整する場合は、負荷切替・調光制御部１９はユーザーによる指示に応じた調光信号をリアルタイム制御部１３１に送出し、リアルタイム制御部１３１はこの調光信号に応じたスイッチ素子１３２のオンオフ制御を行い、さらに必要な場合は抵抗１３３の両端電圧と比較される上限閾値や下限閾値を変更することで、ＬＥＤ負荷１５、１６の光量を調整する。
【００２６】
インピーダンス素子１３４は、定電流コンバータ１３から出力されＬＥＤ負荷１５、１６に供給される電流を安定化させるものである。また、ダイオード１３５はスイッチ素子１３２のオフ時にインピーダンス素子１３４が有するエネルギの放電回路を形成するための素子である。
【００２７】
定電流コンバータ１３の出力端に接続されたコンデンサ１４は、定電流コンバータ１３の出力電流の脈流を抑制してＬＥＤ負荷１５、１６へ電流を安定的に供給する役割を果たす。この実施形態では、コンデンサ１４の容量は０．１μＦ以下に設定されている。コンデンサ１４の容量は０．１μＦ以下に設定した理由については後述する。
【００２８】
第１，第２の各ＬＥＤ負荷１５、１６は、いずれもコンデンサ１４と並列に接続されている。これらのＬＥＤ負荷１５、１６はそれぞれ色温度が異なり、いずれも１個のＬＥＤまたは複数個のＬＥＤの直列接続体からなる。各ＬＥＤ負荷１５、１６は、各負荷に含まれるＬＥＤの数や特性のばらつき等により負荷端子電圧が異なっており、この実施形態では第１ＬＥＤ負荷１５の負荷端子電圧は第２ＬＥＤ負荷１６の負荷端子電圧よりも大きくなっている。
【００２９】
第１負荷切替部１７及び第２負荷切替部１８はそれぞれＭＯＳＦＥＴ等のスイッチ素子からなり、第１負荷切替部１７は第１ＬＥＤ負荷１５のカソード側とコンデンサ１４の負側端子との間に接続され、第２負荷切替部１８はは第２ＬＥＤ負荷１６のカソード側とコンデンサ１４の負側端子との間に接続されている。従って、各負荷切替部１７、１８がオンになることにより各ＬＥＤ負荷１５、１６の回路が閉じられて各ＬＥＤ負荷１５、１６に電流が流れ、ＬＥＤ負荷１５、１６が発光するようになっている。逆に各負荷切替部１７、１８がオフになることにより各ＬＥＤ負荷１５、１６が開放されて、ＬＥＤ負荷１５、１６には電流が流れないようになっている。
【００３０】
各負荷切替部１７、１８のオンオフは、負荷切替・調光制御部１９からの駆動切替信号であるゲート信号によって制御される。この実施形態では、負荷切替・調光制御部１９から各負荷切替部１７、１８に駆動切替信号が交互に出力され、これによって第１、第２ＬＥＤ負荷１５、１６が交互に切替駆動されるようになっている。また、各負荷切替部１７、１８のオン時間（デューティー比）を調整することによって、各ＬＥＤ負荷１５、１６の発光時間を変化させ、調色を行えるようになっている。
【００３１】
負荷切替・調光制御部１９は、前述したように、リアルタイム制御部１３１に調光信号を出力することにより調光制御を行うと共に、各負荷切替部１７、１８に駆動切替信号を出力して発光・調色制御を行う。調光・調色の設定や変更はユーザーからの指示に基づいて行われる。ユーザーはダイヤルつまみやリモコン等を操作して負荷切替・調光制御部１９に調光・調色の設定指示や変更指示を行う。
【００３２】
次に、図１に示したＬＥＤ照明装置１の動作を説明する。
【００３３】
図２（Ｂ）に示すように、リアルタイム制御部１３１からのゲート信号によりタイミングＴ１でスイッチ素子１３２がオンになると、平滑コンデンサ１２からスイッチ素子１３２、抵抗１３３、インピーダンス素子１３４を介して負荷側へと電流Ａが流れるが、インピーダンス素子１３４が存在しかつ定電流コンバータ１３の出力端のコンデンサ１４の容量が小さいため、電流Ａは同図（Ａ）に示すように直線状に徐々に増加していく。電流Ａの増加により抵抗１３３の両端の電圧差が大きくなり、電圧差が上限閾値に達するとリアルタイム制御部１３１は同図（Ｂ）のように、タイミングＴ２でスイッチ素子１３２をオフにする。すると、電流Ａは同図（Ａ）に示すように直線状に徐々に減少していく。電流Ａの減少により抵抗１３３の両端の電圧差が小さくなり、電圧差が下限閾値に達するとリアルタイム制御部１３１はタイミングＴ３でスイッチ素子１３２を再度オンにする。すると、電流Ａは再度上昇に転じ、以降この処理を繰り返す。従って、スイッチ素子１３２のオンオフに伴い、電流Ａは図２（Ａ）に示すように下限値Ａ１と上限値Ａ２との間で三角波状に増減を繰り返す。電流Ａの増減の周波数（スイッチ素子１３２のオンオフ周波数）は、数１０ｋＨｚ〜数１００ｋＨｚに設定されるのが良い。
【００３４】
一方、負荷切替・調光制御部１９からの駆動切替信号により、図３（Ｃ）（Ｄ）に示すように、タイミングＴ５で第１負荷切替部１７がオン、第２負荷切替部１８がオフになり、タイミングＴ６で第１負荷切替部１７がオフ、第２負荷切替部１８がオンに切り替わり、以降タイミングＴ７〜９に示すようにこの切替が繰り返される。切替周波数は１ｋＨｚ程度に設定される。
【００３５】
第１負荷切替部１７がオンになり第２負荷切替部１８がオフになると、図３（Ａ）（Ｂ）に示すように、第１ＬＥＤ負荷１５に負荷電流１が流れ、第２ＬＥＤ負荷１６に流れていた負荷電流２はゼロになる。第１負荷切替部１７がオフに切り替わり第２負荷切替部１８がオンに切り替わると、第１ＬＥＤ負荷１５に流れていた負荷電流１はゼロになり、第２ＬＥＤ負荷１６には負荷電流２が流れる。
【００３６】
この実施形態では、前述したように、第１ＬＥＤ負荷１５の負荷端子電圧は第２ＬＥＤ負荷１６の負荷端子電圧よりも大きいから、第１負荷切替部１７がオンからオフに、第２負荷切替部１８がオフからオンに切り替わって、負荷が第１ＬＥＤ負荷１５から第２ＬＥＤ負荷１６へと切り替わると、負荷の端子電圧が急激に低下することになる。この端子電圧の差に起因してコンデンサ１４の充電電荷が急激に第２ＬＥＤ負荷１６へと流れる。
【００３７】
しかし、コンデンサ１４の容量は０．１μＦ以下の小容量に設定されているから、この電流は瞬時に減衰する。このため、第２ＬＥＤ負荷１６にダメージを及ぼすことがなく、故障の恐れも極めて少なくなる。これに対し、コンデンサ１４の容量が０．１μＦを超えて大きくなると、ピーク電流が長く続いて第２ＬＥＤ負荷１６が故障する恐れがある。
【００３８】
突発的な電流を少なくする観点からはコンデンサ１４の容量は少ない方が良く、従ってコンデンサ１４を設けなくても良い。但し、ＬＥＤ負荷電流の安定化のためには存在した方が良く、このためコンデンサ１４の容量を１００ｐＦ〜０．０１μＦに設定するのが良い。
【００３９】
また、第２ＬＥＤ負荷１６から負荷端子電圧の大きい第１ＬＥＤ負荷１５に切り替わった場合、ＬＥＤ負荷１５を流れる電流を監視するフィードバック制御方式の電源装置では、電流減少を補う動作が行われるため急激な電流上昇が発生する恐れがある。これに対し、この実施形態では、定電流コンバータ１３は定電流コンバータ１３からの出力電流を監視して、出力電流を一定範囲に制御するリアルタイム制御を行っているから、第２ＬＥＤ負荷１６から負荷端子電圧の大きい第１ＬＥＤ負荷１５に切り替わって、第１ＬＥＤ負荷１５を流れる電流が瞬時に低下しても、電流を急激に増加させる制御は行われない。このため、負荷端子電圧の小さい第２ＬＥＤ負荷１６から大きい第１ＬＥＤ負荷１５に切り替わったときも、突発的なピーク電流が発生することはない。
【００４０】
なお、上述したように、第１負荷切替部１７と第２負荷切替部１８の一方がオンに切り替わると他方がオフに切り替わるが、切替タイミングのばらつき等により、第１負荷切替部１７または第２負荷切替部１８の一方がオフになっも、他方のオンタイミングが遅れることがある。この場合、第１、第２負荷切替部１７、１８のいずれもがオフになり第１、第２ＬＥＤ負荷１５、１６はともに開放状態つまり無負荷の状態になってしまい、このため定電流コンバータ１３の出力端の電圧（コンデンサ１４の電圧）が上昇する恐れがある。このような事態を防止するため、ＬＥＤ負荷１５、１６の切り替えは、ＬＥＤ負荷の全てが開放状態となるタイミングが発生しないように、負荷切替・調色制御部１９よる第１負荷切替部１７及び第２負荷切替部１８の駆動切替を行うのが望ましい。
【００４１】
ただし、定電流コンバータ１３の出力側にブリーダー電流を流すためのブリーダー回路を設けた場合は、第１、第２ＬＥＤ負荷１５、１６の全てが開放状態となるタイミングが発生したとしても、コンデンサ１４の電圧が上昇することはない。このようなブリーダー回路を備えたＬＥＤ照明装置の一例を図４に示す。
【００４２】
図４において、整流回路１１と、平滑コンデンサ１２と、定電流コンバータ１３と、コンデンサ１４と、第１、第２ＬＥＤ負荷１５、１６と、第１、第２負荷切替部１７、１８を備え、これらは接続構成を含めて図１に示したＬＥＤ照明装置と同一であるので、同一の符号を付し、詳細な説明は省略する。
【００４３】
この実施形態では、定電流コンバータ１３の出力側において、ブリーダー抵抗２１とＭＯＳＦＥＴ等からなるスイッチ素子２２との直列回路からなるブリーダー回路２０が、コンデンサ１４と並列に接続されている。このスイッチ素子２２のゲートは負荷切替・調光・ブリーダー制御部３０に接続され、負荷切替・調光・ブリーダー制御部３０からのゲート信号を受けてスイッチ素子２２がオンになるようになっている。
【００４４】
負荷切替・調光・ブリーダー制御部３０は図１のＬＥＤ照明装置の負荷切替・調光制御部１９と同様に、調光制御、第１、第２負荷切替部１７、１８のオンオフ切替制御の他に、上述したブリーダー回路２０のスイッチ素子２２のオンオフ制御も同時に行う。さらに、負荷切替・調光・ブリーダー制御部３０は、第１負荷切替部１７及び第２負荷切替部１８のドレイン側の電位を監視して、第１負荷切替部１７、第２負荷切替部１８がオンかまたはオフかを検出している。具体的には、電位が低下していれば第１負荷切替部１７、第２負荷切替部１８がオンであることを検出し、電位が高い場合は第１負荷切替部１７、第２負荷切替部１８はオフであることを検出する。
【００４５】
図４に示したＬＥＤ照明装置１では、図５（Ａ）〜（Ｄ）に示すように、第２負荷切替部１８がタイミングＴ１１でオフに切り替わると第２ＬＥＤ負荷１６の負荷電流２は停止する。第１負荷切替部１７がタイミングＴ１１ではオンせず、その後の遅れたタイミングＴ１２でオンするものとする。
【００４６】
負荷切替・調光・ブリーダー制御部３０は第１負荷切替部１７及び第２負荷切替部１８の電位を監視しており、タイミングＴ１１で第２負荷切替部１８がオフになったことを検出するとともに、第１負荷切替部１７はタイミングＴ１１ではオフのままであることを検出する。つまり、第１負荷切替部１７及び第２負荷切替部１８共にオフであるから、負荷切替・調光・ブリーダー制御部３０はタイミングＴ１１でブリーダー回路２０のスイッチ素子２２をオンにする。これによって図５（Ｅ）に示すように、ブリーダー抵抗２１にブリーダー電流が流れ、コンデンサ１４の端子電圧の上昇を防止する。
【００４７】
第１負荷切替部１７がタイミングＴ１２でオンになると第１ＬＥＤ負荷１５に負荷電流１が流れる。負荷切替・調光・ブリーダー制御部３０は第１負荷切替部１７がオンになったことを検出し、ブリーダー回路２０のスイッチ素子２２をオフにする。これによってブリーダー回路２０が開放され、ブリーダー電流はゼロになる。
【００４８】
第１負荷切替部１７がタイミングＴ１３でオフに切り替わると第１ＬＥＤ負荷１５の負荷電流１は停止する。第２負荷切替部１８がタイミングＴ１３ではオンせず、その後の遅れたタイミングＴ１４でオンするものとする。負荷切替・調光・ブリーダー制御部３０は第１負荷切替部１７及び第２負荷切替部１８の電位を監視しており、タイミングＴ１３で第１負荷切替部１７がオフになったことを検出するとともに、第２負荷切替部１８はタイミングＴ１３ではオフのままであることを検出する。つまり、第１負荷切替部１７及び第２負荷切替部１８共にオフであるから、負荷切替・調光・ブリーダー制御部３０はタイミングＴ１３でブリーダー回路２０のスイッチ素子２２をオンにする。これによってブリーダー抵抗２１にブリーダー電流が流れ、コンデンサ１４の端子電圧の上昇を防止する。
【００４９】
タイミングＴ１４で第２負荷切替部１８がオンになると、負荷切替・調光・ブリーダー制御部３０は第２負荷切替部１８がオンになったことを検出し、ブリーダー回路２０のスイッチ素子２２をオフにする。これによってブリーダー回路２０が開放され、ブリーダー電流はゼロになる。以後のオンオフ切替時も同様であり、第１、第２負荷切替部１７、１８がいずれもオフの間、ブリーダー回路２０にはブリーダー電流が流れることになる。
【００５０】
図４及び図５の例では、負荷切替・調光・ブリーダー制御部３０が第１、第２負荷切替部１７、１８のオンオフを検出し、両方の負荷切替部１７、１８がオフの間のみ、ブリーダー回路２０を動作させる構成とした。
【００５１】
しかし、第１、第２ＬＥＤ負荷１５、１６の切り替えタイミングを含む所定時間、ブリーダー回路２０を動作させる構成であっても良い。具体的には、図５（Ｆ）に示すように、第２負荷切替部１８がオフになるタイミングＴ１１よりも前のタイミングＴ２１で、ブリーダー回路２０のスイッチ素子２２をオンにし、第１負荷切替部１７がオンになるタイミングＴ１２よりも後のタイミングＴ２２でブリーダー回路２０のスイッチ素子２２をオフにする。さらに、第１負荷切替部１７がオフになるタイミングＴ１３よりも前のタイミングＴ２３で、ブリーダー回路２０のスイッチ素子２２をオンにし、第２負荷切替部１８がオンになるタイミングＴ１４よりも後のタイミングＴ２４でブリーダー回路２０のスイッチ素子２２をオフにする。このような動作によって、第１、第２負荷切替部１７、１８が同時オフになっている時間を含む一定時間はブリーダー回路２０が動作することになり、コンデンサ１４の端子電圧の上昇を確実に防止することができる。
【００５２】
以上、本発明の一実施形態を説明したが、本発明は上記実施形態に限定されることはない。例えば、ＬＥＤ照明用電源装置１の電源が交流電源２である場合を説明したが、直流電源から定電流を得て第１、第２ＬＥＤ負荷１５、１６に供給する電源装置であっても良い。
【００５３】
また、負荷電圧の異なるＬＥＤ負荷が第１、第２ＬＥＤ負荷１５、１６の２系統である場合を示したが、３系統以上であっても良い。
【符号の説明】
【００５４】
１      ＬＥＤ照明装置
２      交流電源
１１    整流回路
１２    平滑コンデンサ
１３    定電流コンバータ
１３１  リアルタイム制御部
１３２  スイッチ素子
１３３  抵抗
１３４  インピーダンス素子
１３５  ダイオード
１４    コンデンサ
１５    第１ＬＥＤ負荷
１６    第２ＬＥＤ負荷
１７    第１負荷切替部
１８    第２負荷切替部
１９    負荷切替・調光制御部
２０    ブリーダー回路
２１    ブリーダー抵抗
２２    スイッチ素子
３０    負荷切替・調光・ブリーダー制御部
【図１】
2018063878.tif 000003
【図２】
2018063878.tif 000004
【図３】
2018063878.tif 000005
【図４】
2018063878.tif 000006
【図５】
2018063878.tif 000007